(57)【特許請求の範囲】
【請求項１】
コンクリートを打設する基礎（Ｘ）に載置されたコンクリート補強金属線材（Ｗ、Ｖ）を自身のテコ作用により持ち上げながらコンクリート補強金属線材（Ｗ、Ｖ）の下方に装着して支持するコンクリート補強金属線材支持スペーサー（１）であつて、コンクリート補強金属線材（Ｗ、Ｖ）に係合させる係合部（５）と、後方下部が湾曲状に形成され、係合部（５）を上方に支持する支持台（２）と、支持台（２）の前方に突出して設けられ、基礎（Ｘ）に載置されたコンクリート補強金属線材（Ｗ、Ｖ）に係合部（５）を係合させた後にコンクリート補強金属線材（Ｗ、Ｖ）を中心として支持台（２）を回転させる操作部（４）とを備えてなることを特徴とするコンクリート補強金属線材支持スペーサー。
【請求項２】
支持台（２）は、金属線材からなり、前後一対の脚部を有する門型形状で、後方脚部の下端部が前方に湾曲状に形成された一対の支持部（３）を間隔を空けて対向状に配置するとともに、一体に連結してなるものである請求項１記載のコンクリート補強金属線材支持スペーサー。
【請求項３】
支持台（２）が台形状である請求項１又は２記載のコンクリート補強金属線材支持スペーサー。
【請求項４】
係合部（５）が支持台（２）より上方に突出して設けられている請求項１、２又は３記載のコンクリート補強金属線材支持スペーサー。
【請求項５】
係合部（５）が支持台（２）より上方に突出するとともに操作部（４）の側に向け屈曲して設けられている請求項１、２又は３記載のコンクリート補強金属線材支持スペーサー。
【請求項６】
係合部（５）は、コンクリート補強金属線材（Ｗ、Ｖ）を引掛ける引掛部（６）と、引掛部（６）と協働してコンクリート補強金属線材（Ｗ、Ｖ）を挟持する固定部（７）とを備えている請求項１〜５のいずれか１項記載のコンクリート補強金属線材支持スペーサー。
【請求項７】
支持台（２）がアーチ状で、係合部（５）が支持台（２）の上部に凹部を形成して設けられている請求項１又は２記載のコンクリート補強金属線材支持スペーサー。
【請求項８】
支持台（２）がアーチ状で、係合部（５）が支持台（２）の頂部の後方から上方に突出するとともに操作部（４）の側に向け屈曲して設けられている請求項１又は２記載のコンクリート補強金属線材支持スペーサー。
【請求項９】
係合部（５）、支持台（２）及び操作部（４）が１本の金属線材を折り曲げて形成されている請求項１又は２記載のコンクリート補強金属線材支持スペーサー。
【発明の詳細な説明】
【０００１】
【発明の属する技術分野】
本発明は、コンクリート補強金属線材を基礎上に浮かせて支持する支持スペーサーに関し、詳細には、基礎に載置されたコンクリート補強金属線材を自身のてこ作用により持ち上げながらコンクリート補強金属線材の下方に装着して支持するコンクリート補強金属線材支持スペーサーに関する。
【０００２】
【従来の技術】
コンクリートの打設作業において、コンクリートの割れ防止等の強度を確保するため、鉄筋を格子状に組立てた溶接金網（ワイヤーメツシユ筋）、鉄筋、補強筋等の細長い金属線材からなるコンクリート補強金属線材（以下、補強金属線材と称す）をコンクリート内に埋設することが一般に行なわれている。補強金属線材をコンクリート内に埋設するためには、コンクリートの打設時にコンクリート呑込み部分いいかえればコンクリートのかぶりを確保し得るように、補強金属線材をコンクリートを打込む基礎、例えば割栗石張土間、捨てコンクリート土間、コンクリート型枠材、デツキプレート等から一定の距離浮かせて支持することが必要であり、各種のコンクリート補強金属線材支持スペーサー（以下、スペーサーと称する）が使用されている。
【０００３】
ところで、補強金属線材の基礎への設置作業は、スペーサーを予め基礎上に配置し、スペーサー上に補強金属線材を載置する方法と、補強金属線材を基礎上に載置した後にスペーサーを装着する方法とがあるが、規模の大きい作業現場では後者の方法が一般に採用されている。後者の方法において使用するスペーサーとしては、例えば特開平７−２４７６３３号公報に開示されているように、補強金属線材を載置する載設部を有し、金属線材で形成されたほぼΩ字状の一対の支持部を間隔を空けて対向状に設けてなる支持台と、金属線材で形成され、上方に突出した隆起部を有する一対の固定部を補強金属線材を挟持するように間隔を空けて対向状に各支持部の載設部に設けてなる係合部とを備えたスペーサーが提案されている。
【０００４】
【発明が解決しようとする課題】
ところが、前記スペーサーについては、補強金属線材への装着作業に重労働を伴い、能率が悪いという問題点がある。すなわち、スペーサーの装着作業は、補強金属線材、例えば溶接金網を一方の手でてこ棒を上方に操作し又は直接スペーサーの高さ分持ち上げ、他方の手でスペーサーを補強金属線材の下方に挿入し、溶接金網を足で踏み付けて係合部にはめ込むことにより行なわれる。その際、溶接金網上に作業者が乗つた状態では溶接金網を持ち上げることができないため、作業者は溶接金網の格子の狭い空間に足を入れ、基礎上につま先立つた状態で作業せざるを得ず、不安定な姿勢での作業になつている。しかも、スペーサーを所定位置に挿入する間、片手で溶接金網を持ち上げた状態を保持しなければならない。その結果、重労働になり、長時間の作業が難しい。また、スペーサーを正確に挿入し難いため、１個のスペーサーの装着時間が長くなり、非能率である。さらに、スペーサーを溶接金網の１ｍ２当たり約１個装着するため、１つの作業現場における装着箇所が多数になり、長時間の作業になる。
【０００５】
本発明は、前記従来の問題点を解消するためになされたもので、その課題は、無理な姿勢を取ることなく、簡便に能率良く装着し得るスペーサーを提供することにある。
【０００６】
【課題を解決するための手段】
前記課題を解決するために、本発明では、基礎に載置された補強金属線材に係合するように係合部を設け、係合部が上方に設けられた支持台の後方下端部を前方に湾曲状に形成し、支持台の前方に突出して操作部を設けている。係合部を基礎に載置されたコンクリート補強金属線材に係合させた時、支持台は後方が下方に向き基礎から離れた状態にあり、操作部を押し下げることにより支持台が補強金属線材を中心として回転し、支持台の後方下端部が基礎に当接する。操作部をさらに押し下げることにより、支持台の後方下端部が基礎上を後方に滑りながら回転し、補強金属線材を上方に持ち上げる。すなわち、操作部を押し下げることにより補強金属線材に上方と前方とに移動させる力が作用する。上方への力は、作業者が補強金属線材上に乗つていてもスペーサー装着付近の補強金属線材の弾性力と重量に対抗する程度でよく、支持台の後方下端部を支点とし、操作部を力点とし、係合部を作用点とするてこ作用により十分得られる。一方、前方への力は、補強金属線材の全重量及び作業者の重量に対抗しなければならず、前記てこ作用によつては到底得られない。その結果、補強金属線材は前方に移動せず静止状態にあり、支持台は係合部が当接している位置において補強金属線材を中心として回転することになる。そして、支持台の後方下端部が湾曲状で、基礎との引掛かりが少なく基礎上を滑り易いため、支持台が回転し易い構造になつている。従つて、操作部を押し下げることにより、補強金属線材をてこ作用で持ち上げながら支持台を補強金属線材の下方に挿入し、補強金属線材を基礎上の所定の高さに安定して支持することになる。また、作業者が補強金属線材上に乗つていてもほとんど影響がなくスペーサーを装着し得るため、楽な姿勢で作業し得る。
【０００７】
本発明のスペーサーは、コンクリートを打設する基礎に載置された補強金属線材を自身のテコ作用により持ち上げながら装着して支持するスペーサーであつて、補強金属線材に係合させる係合部と、後方下部が湾曲状に形成され、係合部を上方に支持する支持台と、支持台の前方に突出して設けられ、基礎に載置された補強金属線材に係合部を係合させた後に補強金属線材を中心として支持台を回転させる操作部とを備えてなることを特徴としている。
【０００８】
【発明の実施の形態】
本発明の実施の形態を図に基づいて説明する。図１は、第１実施の形態の概念的な斜視図で、溶接金網に装着した時の姿勢を示す。図２は、側面図、図３〜５は装着方法の説明図である。図１〜５において、１は鉄筋Ｖを格子状に組立てた溶接金網Ｗに適用するように形成されたスペーサーである。２は支持台で、間隔を空けて平行に対向して設けられた一対の支持部３からなつている。各支持部３は、金属線材を折り曲げて門型形状の一種である台形状に形成され、直線状の上部から前後下方に折れ曲がつて後方脚部と前方脚部とになつている。各脚部の下端部は、前方に湾曲して形成され、前方脚部の下端部は操作部４で互いに連結されている。操作部４は、各支持部３の前方脚部の下端部から前方に水平に突出して設けられ、平面視でコ字状に形成されている。操作部４と各支持部３とは、１本の金属線材を折り曲げて一体に形成されているが、別体に形成し溶接で連結されていてもよい。５は係合部で、引掛部６と固定部７とからなつている。引掛部６は、溶接金網Ｗにスペーサー１を装着する際に溶接金網Ｗから離脱しないように係合させるため、図２にも示すように中央が上方に突出するとともに操作部４の側すなわち前方に向けて水平に突出した形状に金属線材を折り曲げて形成され、両端がそれぞれ各支持部３の上部に溶接で取付けられている。固定部７は、中央が上方に突出する形状に金属線材を折り曲げて形成され、上方に突出した部位の上部側を引掛部６の側すなわち後方に傾けるように両端がそれぞれ各支持部３の上部に溶接で取り付けられている。引掛部６と固定部７とは、それぞれの両端側が間隔を空けて平行に対向して取付けられ、固定部７の突出した部位の上部側が引掛部６の突出した部位の側に傾斜していることから、図２に示すように前記各突出した部位によつて上方が下方よりも狭くなつており、これにより溶接金網の鉄筋Ｖを挟持し離脱しないようになつている。引掛部６の水平に突出した部位の下面と固定部７の上方に突出した部位の上面との間隔は、溶接金網の鉄筋Ｖの径より幾分広く設定されており、溶接金網の鉄筋Ｖに簡単に係合し得るようになつている。なお、前方とは、図２における右側を意味し、後方とは同じく左側を意味する。
【０００９】
第１実施の形態のスペーサー１は、前記のように構成されており、その作用を図３〜５に示す装着方法とともに次に説明する。基礎Ｘにコンクリートを打設する際、基礎Ｘに複数枚の溶接金網Ｗを敷き詰め、それぞれを一体に結束している。スペーサーの装着作業は、先づ図３に示すように、係合部の引掛部６を溶接金網の鉄筋Ｖの１本に引掛ける。作業者は、図３に示すスペーサーの前方において溶接金網Ｗ上に乗つており、しゃがんだ状態で片手又は両手で操作部４を作業者の側に引き下げる。支持台２は、係合部の引掛部６が係合している溶接金網の鉄筋Ｖを中心として回転し、後方の部位すなわち各支持部３の後方脚部の一部が基礎Ｘに当接する。これにより、各支持部３の後方脚部の基礎Ｘに当接する部位を支点とし、操作部４を力点とし、係合部を作用点とするてこ作用が生じ、作用点となる係合部５が上昇し始める。操作部４をさらに引き下げることにより、支持台２が回転するとともに基礎Ｘに当接する部位が移動し、図４に示すように各支持部３の後方脚部の湾曲した下端部が基礎Ｘに当接する。各支持部３の後方脚部の下端部が基礎Ｘ上を後方に移動することにより支持台２が回転し、係合部５及び溶接金網Ｗが上昇する。操作部４を基礎Ｘに当接するまで押し下げた時、図５に示すように支持部３の各脚部の下端面が基礎Ｘに当接し、支持台２が正座した状態すなわちスペーサーが溶接金網Ｗの下方に装着された状態になる。その際、溶接金網の鉄筋Ｖは、各支持部３の上面に当接しており、支持台２の高さ位置に支持されることになる。また、係合部３は、図５に示すように引掛部６のみではなく固定部７も溶接金網の鉄筋Ｖに係合し、引掛部６と固定部７の突出した部位の上部側が幅狭になつているため両者６，７間で溶接金網の鉄筋Ｖを挟持することになり、スペーサー１が溶接金網Ｗから簡単に離脱しないように装着されることになる。
【００１０】
図６は、第２実施の形態の要部説明図である。図６に示すスペーサー１は、係合部５を除いては第１実施の形態と同様になつている。係合部５は、支持部３から上方に突出するとともに前方に水平に突出して設けられた引掛部６と、引掛部６と対向して平行に設けられた直線状の金属線材からなる固定部７とを備えてなり、引掛部６の水平に突出した部位の下面と固定部７の上面との間隔が溶接金網の鉄筋Ｖの径よりも幾分小さく設定されている。これにより、スペーサー１を溶接金網Ｗに装着した時、引掛部６と固定部７とで溶接金網の鉄筋Ｖを挟持し、スペーサー１が溶接金網Ｗから簡単に離脱しないように装着されることになる。なお、スペーサー１の装着作業は、第１実施の形態と同様にして行なわれる。
【００１１】
図７は、第３実施の形態の概念的な説明図である。図７に示すスペーサー１は、係合部５の構造と各支持部３を連結する構造を除いては第１実施の形態と同様になつている。すなわち、係合部５は中央が上方に突出した金属線材からなる引掛部６を備えてなり、スペーサー１の装着時にはこの引掛部６が溶接金網の鉄筋Ｖに係合するようになつている。係合部５は、溶接金網の鉄筋Ｖを挟持しないが、スペーサーの装着作業を円滑になし得る。各支持部３の連結構造については、各支持部３の上部前方内側に直線状の金属線材からなる連結部８が溶接により取付けられている。スペーサー１の装着作業は、第１実施の形態と同様にして行なわれる。
【００１２】
図８及び図９は、第４実施の形態の説明図である。図８に示すスペーサー１は、係合部５の構造、各支持部３の連結構造を除いては第１実施の形態と同様になつている。係合部５は、中央が上方に突出するとともに前方下向に突出し、さらにその先端が前方上向に突出するように金属線材を屈曲して形成され、両端が各支持部３の上部後方に溶接で取付けられた引掛部６を備え、図９にも示すように引掛部６の前方に突出した部位の最下面と各支持部３の上面との上下方向の間隔が溶接金網の鉄筋Ｖの径より幾分小さく、また引掛部６の前方に突出した部位の先端と各支持部３の上面との上下方向の間隔が前記径より幾分大きく設定されている。スペーサー１の装着時、引掛部６の先端を溶接金網の鉄筋Ｖに係合し、操作部４により支持台２を回転させるが、支持台２の回転に伴い引掛部６の先端側が溶接金網の鉄筋Ｖにより押し開かれ、溶接金網の鉄筋Ｖが引掛部６の上方に突出した部位に当接する。引掛部６は、先端側が押し開かれた後に弾性復帰し、引掛部６と各支持部３の直線状の上部とで溶接金網の鉄筋Ｖを挟持する。これにより、スペーサー１は、溶接金網の鉄筋Ｖから簡単に離脱しないように装着されることになる。各支持部３の連結構造については、直線状の金属線材からなる連結部８の両端を各支持部３の上部前方の内側に溶接により取付けられている。
【００１３】
図１０は、第５実施の形態の要部説明図である。図１０に示すスペーサー１は、各支持部３の上部に係止凹部９が形成されている点を除けば第４実施の形態と同様である。係合部５は、引掛部６と係止凹部９とを備えてなり、スペーサー１の装着時に引掛部６と各支持部３の上部とで溶接金網の鉄筋Ｖを挟持した際に前記鉄筋Ｖが係止凹部９に入り込み、前記鉄筋Ｖから離脱しようとする際に前記鉄筋Ｖに係止凹部９が係止されて離脱阻止される。これにより、スペーサー１は、前記鉄筋Ｖにより確実に装着される。
【００１４】
図１１は、第６実施の形態の要部説明図である。図１１に示すスペーサー１は、各支持部３の直線状の上部で引掛部６の前方下向から上向に折り曲げられた部位に上方に突出して係止凸部９が形成されている点を除けば第４実施の形態と同様である。すなわち、係合部５は、引掛部６と係止凸部１０とを備えてなり、スペーサー１の装着時に引掛部６と各支持部３の上部とで溶接金網の鉄筋Ｖを挟持するが、前記鉄筋Ｖから離脱しようとする際には前記鉄筋Ｖに係止凸部１０が係止されて離脱阻止される。これにより、スペーサーは、前記鉄筋Ｖにより確実に装着される。
【００１５】
図１２及び図１３は、第７実施の形態の説明図である。図１２に示すスペーサー１は、一対の台形状の支持部３からなる支持台２と、支持台２の上方に突出するとともに前方下向に突出してなる引掛部６を有する係合部５と、支持台２の前方に突出して設けられた操作部４とを備えており、基本構造においては第１実施の形態と同様である。このスペーサー１は、１本の金属線材を一筆書のように順次折り曲げて形成されており、例えば金属線材の一端側から折り曲げ開始し、先づＬ字状に折り曲げて操作部４の左半分を形成し、台形状に折り曲げて左側の支持部３を形成し、前方上向に折り曲げて左側の支持部３の後方脚部を形成し、左側の支持部３の上部を溶接金網の鉄筋Ｖの径より幾分突出した位置で前方下向に折り曲げ、左側の支持部３の上部よりも前方に突出した位置に折り曲げ部がくるように円弧状に折り曲げ、次いで前記前方下向に折り曲げた位置と対称の位置で後方下向に折り曲げて係合部５となる引掛部６を形成し、以後前記と逆の向に順次折り曲げて右側の支持部３の後方脚部の下端部、右側の支持部３及び操作部４の右半分を形成する。操作部４の左半分と右半分とは、その端部が突き合わせ状であつてもよいが、図１３に示すように前後に重なるように形成されており、スペーサー１の装着時に適切に引き下げ力を作用させ得る。以上のようにして形成されたスペーサー１は、溶接部がなく１本の金属線材を折り曲げ加工することのみにより成形されるため、効率良く製造し得る。また、左右の支持部３が後方脚部の下端部で引掛部６により連結されているため、他に連結部を必要とせず、所定の強度を確保し得る。なお、スペーサー１の装着作業は、第１実施の形態と同様にして行なわれるが、引掛部６が前方下向になつていることから、引掛部６と各支持部３の上部とで簡単に離脱しないように挟持することになる。支持部３の形状は、上部が円弧状となるアーチ状に形成されていてもよい。
【００１６】
図１４及び図１５は、第８実施の形態の概念的な説明図である。図１４に示すスペーサー１は、支持部の上部が円弧状となるアーチ状に形成され、係合部が支持部の円弧状の頂点よりも後方に両端が溶接で取付けられ、前記後方から上方に突出するとともに前記頂点よりも前方下向に突出して形成された引掛部を備えてなる点を除いては、第１実施の形態と基本的には同様になつている。スペーサー１の装着作業は、第１実施の形態と同様にして行なわれるが、引掛部の前方下向に突出した部位と支持部の上部との上下方向の間隔が支持部の頂点と対向する位置で最小になり、溶接金網の鉄筋Ｖの径よりも幾分小さく設定されているため、スペーサー１が溶接金網の鉄筋Ｖから簡単に離脱しないように装着される。
【００１７】
図１６及び図１７は、第９実施の形態の概念的な説明図である。図１６に示すスペーサー１は、係合部５の構造を除いては第１実施の形態と同様である。すなわち、係合部５は両端が支持部３の上部後方に溶接で取付けられ、中間が図１７に示すように上方に前傾して突出して形成された引掛部６と、両端が支持部３の上部前方に溶接で取付けられ、中間が引掛部６と対称に、すなわち上方に同一高さ突出するとともに同一角度後傾して形成された固定部７とからなり、引掛部６と固定部７の上部側の間隔が溶接金網の鉄筋Ｖの径より幾分小さく設定されている。スペーサー１の装着時には、溶接金網の鉄筋Ｖに係合部５を強く押し当てて引掛部６と固定部７との間に挟み込み、この状態で操作部４を引き下げることによりスペーサー１を装着し得る。そして、係合部５で溶接金網の鉄筋Ｖを深く挟持することから、スペーサー１が溶接金網の鉄筋Ｖから簡単に離脱しないように装着し得る。
【００１８】
図１８は、第１０実施の形態の要部の説明図である。図１８に示すスペーサー１は、引掛部６の上方に突出した部位が支持部３の上部に垂直になつており、固定部７の上方に突出した部位が引掛部６よりも低く設定されている点を除けば第９実施の形態と同様になつている。係合部５は、引掛部６が固定部７よりも上方に大きく突出していることから、スペーサー１の装着時に引掛部６を溶接金網の鉄筋Ｖに係合させることにより、操作部４の引き下げに伴い支持台２を回転させ得る。そして、引掛部６と固定部７との間隔が上方ほど小さく、この間隔が溶接金網の鉄筋Ｖより幾分小さく設定されていることから、支持台２の回転により引掛部６と固定部７とで溶接金網の鉄筋Ｖを簡単に離脱しないように挟持する。
【００１９】
図１９は、第１１実施の形態の概念的な説明図である。図１９に示すスペーサー１は、係合部５の構造を除けば第１実施の形態と同様になつている。すなわち、係合部５は、両端が支持部３の上部後方に溶接により取付けられ、両端の上方に突出するとともに前方に突出して形成された引掛部６と、両端が支持部３の上部前方に溶接により取付けられ、両端の上方に引掛部６よりも低く突出して形成された固定部７とを備えている。スペーサー１の装着作業は、第１実施の形態と同様にして行なわれる。
【００２０】
図２０及び図２１は、第１２実施の形態の概念的な説明図である。図２０に示すスペーサー１は、係合部５の構造を除いて第１実施の形態と同様になつている。すなわち、係合部５は、両端が支持部３に溶接で取付けられた平行な２本の連結部８の中間に２個のＵ字型引掛・固定部１１を間隔を空け前方に向けて溶接で取付けられている。Ｕ字型引掛・固定部１１は、図２１に示すように、下側が上側より短く、上側の先端が幾分上方に向けて折り曲げられており、下側の先端における上側との間隔が溶接金網の鉄筋Ｖの径より幾分小さく設定されている。スペーサー１の装着作業時には、Ｕ字型引掛・固定部１１の上側の部材を溶接金網の鉄筋Ｖに係合させることにより、操作部４で支持台２を回転させることができ、スペーサー１が溶接金網の鉄筋Ｖから簡単に離脱しないように装着し得る。なお、Ｕ字型引掛・固定部１１を支持部３に直接取付けてもよい。また、Ｕ字型引掛・固定部１１に下方にのびる調節足を設け、この調節足を介して支持部３に取付けるようにしてもよく、溶接金網Ｗの支持高さが異なるものを簡単に製造し得る。
【００２１】
図２２及び図２３は、第１３実施の形態の概念的な説明図である。図２２に示すスペーサー１は、Ｕ字型引掛・固定部１１の取付構造及び形状を除いて第１２実施の形態と同様になつている。Ｕ字型引掛・固定部１１は、前方上向きに傾斜して取付けられており、下側が上側より短かく、下側を上側方向に幾分傾斜させ、上側の先端を下側方向に折り曲げられている。これにより、スペーサー１の装着作業時には、Ｕ字型引掛・固定部１１が溶接金網の鉄筋Ｖに係合し易く、装着時には簡単に離脱しないようになつている。なお、Ｕ字型引掛・固定部１１の取付方法については、第１２実施の形態におけると同様に支持部３に直接取付けてもよく、また調節足を設けて取付けるようにしてもよい。
【００２２】
図２４は、第１４実施の形態の概念的な説明図である。図２４において、支持部３は弓状脚部１２、垂直脚部１３、Ｕ字状係部１４及び弓状係部１５を順次連結し、ほぼ弓状に形成されている。係合部５は、支持部の上部に連結されたＵ字状係部と弓状係部とで形成されている。
【００２３】
第１４実施の形態は、上記のように構成されていることから、図２５、図２６、図２７に示すようにして溶接金網の鉄筋Ｖに装着される。
【００２４】
図２８及び図２９は、第１５実施の形態の概念的な説明図である。図２８に示すスペーサー１は、支持部３の形状がほぼ台形状で、支持部３の上部に上向の係合凹部が形成されている。係合凹部は、図２９に示すように後方側が前方側より上方に突出し、上部が溶接金網の鉄筋Ｖの径より幾分小さく設定されている。この係合凹部は、スペーサー１の装着時に溶接金網の鉄筋Ｖに係合して挟持するものであり、係合部５を構成している。なお、各支持部３は、係合凹部の上部前方の内側に連結部８の両端を溶接により取付けられている。
【００２５】
図３０は、第１６実施の形態の概念的な説明図である。図３０に示すスペーサー１は、支持部３がほぼ台形状で、前方脚部の下端部が後方脚部の下端部とほぼ同様に前方に湾曲して形成されている。係合部５は、両端が支持部３の上部後方において溶接により取付けられ、支持部３の上部から直接上方に突出するとともに前方に突出して形成された引掛部６、両端が支持部３の上部前方に溶接により取付けられ、中間において上方に突出して形成された固定部７とを備えている。操作部４が支持部３の前方脚部の下端より幾分上方に溶接により取付けられ、支持部３の前後の脚部の下端部に防錆樹脂が塗布されている。これらにより、基礎Ｘが型枠等である場合にはコンクリート打設後に型枠を取外すとコンクリートの底部が露出するが、操作部４は露出することがなく、また露出する支持部３の脚部の下端部が錆ないようになつている。なお、図６〜３０において、図１〜５におけると同一の符号は同一の機能部材を意味している。
【００２７】
【本発明の効果】
本発明によれば、支持台の後方下部が前方に湾曲状に形成され、支持台の前方に突出して操作部が設けられていることにより、スペーサー自体がてこ作用を有し、補強金属線材の持ち上げとスペーサーの装着とを同時に行うことになる。装着個所の補強金属線材を直接てこ作用により持ち上げることになるため、大きな力を必要とせず、しかも作業者が補強金属線材上に乗つた状態で作業することができ、楽な姿勢で簡単に作業することができる。従つて、スペーサーの装着作業を迅速かつ正確に行うことができ、作業効率を高めることが可能になつた。
【図面の簡単な説明】
【図１】本発明の第１実施の形態の概念的な斜視図で、溶接金網に装着した時の姿勢を示す。
【図２】本発明の第１実施の形態の側面図である。
【図３】本発明の第１実施の形態の装着方法の説明図で、係合部を溶接金網の鉄筋に引掛けて係合した状態を示す。
【図４】本発明の第１実施の形態の装着方法の説明図で、支持台の後方下部が基礎に当接した状態を示す。
【図５】本発明の第１実施の形態の装着方法の説明図で、スペーサーが溶接金網に装着された状態を示す。
【図６】本発明の第２実施の形態の要部説明図である。
【図７】本発明の第３実施の形態の概念的な説明図である。
【図８】本発明の第４実施の形態の概念的な斜視図である。
【図９】本発明の第４実施の形態の要部説明図である。
【図１０】本発明の第５実施の形態の要部説明図である。
【図１１】本発明の第６実施の形態の要部説明図である。
【図１２】本発明の第７実施の形態の側面図である。
【図１３】本発明の第７実施の形態の平面図である。
【図１４】本発明の第８実施の形態の側面図である。
【図１５】本発明の第８実施の形態の平面図である。
【図１６】本発明の第９実施の形態の概念的な斜視図である。
【図１７】本発明の第９実施の形態の要部説明図である。
【図１８】本発明の第１０実施の形態の要部説明図である。
【図１９】本発明の第１１実施の形態の概念的な斜視図である。
【図２０】本発明の第１２実施の形態の概念的な斜視図である。
【図２１】本発明の第１２実施の形態の側面図である。
【図２２】本発明の第１３実施の形態の概念的な斜視図である。
【図２３】本発明の第１３実施の形態の側面図である。
【図２４】本発明の第１４実施の形態の概念的な斜視図である。
【図２５】本発明の第１４実施の形態の装着方法の説明図で、係合部を溶接金網に係合した状態を示す。
【図２６】本発明の第１４実施の形態の装着方法の説明図で、支持台が溶接金網の下方に挿入された直後の状態を示す。
【図２７】本発明の第１４実施の形態の装着方法の説明図で、スペーサーが溶接金網に装着された状態を示す。
【図２８】本発明の第１５実施の形態の概念的な斜視図である。
【図２９】本発明の第１５実施の形態の側面図である。
【図３０】本発明の第１６実施の形態の概念的な斜視図である。
【符号の説明】
１  スペーサー    ２  支持台    ３  支持部    ４  操作部    ５  係合部
６  引掛部    ７  固定部    ８  連結部    ９  係止凹部
１０  係止凸部    １１  Ｕ字型引掛・固定部    １２  弓状脚部
１３  垂直脚部    １４  Ｕ字状係部    １５  弓状係部    １６  係合凹部
Ｗ  溶接金網（補強金属線材）  Ｖ  溶接金網の鉄筋    Ｘ  基礎
【図１】
0004359666.tif 000002
【図２】
0004359666.tif 000003
【図６】
0004359666.tif 000004
【図３】
0004359666.tif 000005
【図４】
0004359666.tif 000006
【図５】
0004359666.tif 000007
【図７】
0004359666.tif 000008
【図８】
0004359666.tif 000009
【図９】
0004359666.tif 000010
【図１０】
0004359666.tif 000011
【図１１】
0004359666.tif 000012
【図１２】
0004359666.tif 000013
【図１３】
0004359666.tif 000014
【図１４】
0004359666.tif 000015
【図１５】
0004359666.tif 000016
【図１６】
0004359666.tif 000017
【図１７】
0004359666.tif 000018
【図１８】
0004359666.tif 000019
【図１９】
0004359666.tif 000020
【図３０】
0004359666.tif 000021
【図２０】
0004359666.tif 000022
【図２１】
0004359666.tif 000023
【図２２】
0004359666.tif 000024
【図２３】
0004359666.tif 000025
【図２４】
0004359666.tif 000026
【図２５】
0004359666.tif 000027
【図２６】
0004359666.tif 000028
【図２７】
0004359666.tif 000029
【図２８】
0004359666.tif 000030
【図２９】
0004359666.tif 000031